(57)【要約】 【課題】レーザノイズを除去した後のＲＦ信号から正しいサーボ信号を生成すること。光ディスク装置の回路規模の増大を抑制すること。【解決手段】レーザ光の光ディスクからの反射光を光電変換したＲＦ信号に、前記レーザ光の一部を光電変換したＦＰＤ信号からＬＰＦ２１により抽出するＤＣ成分及びＨＰＦ２２により抽出する高域成分を乗算器４１、４２で乗算する際に、ＤＣ成分及び高域成分の利得をそれぞれＡＧＣ３１、３２で常に所定の値にすることにより、加算器５１から出力されるＲＦ信号の大きさをＦＰＤ信号によって変化されないようにする。また、前記複数のＲＦ信号及びこれら複数のＲＦ信号の演算結果信号全てに対して回路規模が大きい乗算方式レーザノイズ除去手段を用いるのではなく、一部の信号に対しては回路規模が小さい減算方式レーザノイズ除去手段を用いる。【選択図】図１
2005196870.tif 000002
【特許請求の範囲】
【請求項１】
レーザ光源から出射されたレーザ光の光ディスクからの反射光を光電変換した信号からレーザノイズを除去するレーザノイズ除去回路であって、
前記レーザ光源から出射されたレーザ光の一部を光電変換した信号の直流成分を抽出するローパスフィルタ手段と、
前記レーザ光源から出射されたレーザ光の一部を光電変換した信号の高域成分を抽出するハイパスフィルタ手段と、
前記ローパスフィルタ手段により抽出された直流成分を常に第１の所定レベルにする第１の自動利得制御手段と、
前記ハイパスフィルタ手段により抽出された高域成分を常に第２の所定レベルにする第２の自動利得制御手段と、
前記レーザ光の光ディスクからの反射光を光電変換した信号に前記第１の所定レベルにされた直流成分を乗算する第１の乗算手段と、
前記レーザ光の光ディスクからの反射光を光電変換した信号に前記第２の所定レベルにされた高域成分を乗算する第２の乗算手段と、
前記第１の乗算手段の乗算結果から前記第２の乗算手段の乗算結果を減算する減算手段と、
を具備することを特徴とするレーザノイズ除去回路。
【請求項２】
レーザ光源から出射されたレーザ光の光ディスクからの反射光を光電変換した信号からレーザノイズを除去するレーザノイズ除去回路であって、
前記レーザ光源から出射されたレーザ光の一部を光電変換した信号を常に所定レベルにする自動利得制御手段と、
前記所定レベルされた光電変換信号の直流成分を抽出するローパスフィルタ手段と、
前記所定レベルされた光電変換信号の高域成分を抽出するハイパスフィルタ手段と、
前記レーザ光の光ディスクからの反射光を光電変換した信号に前記抽出された直流成分を乗算する第１の乗算手段と、
前記レーザ光の光ディスクからの反射光を光電変換した信号に前記抽出された高域成分を乗算する第２の乗算手段と、
前記第１の乗算手段の乗算結果から前記第２の乗算手段の乗算結果を減算する減算手段と、
を具備することを特徴とするレーザノイズ除去回路。
【請求項３】
前記レーザ光源から出射されたレーザ光の光ディスクからの反射光を光電変換した信号が複数個ある場合、これら信号及びこれら信号を用いて演算した演算結果信号の各々に対して前記レーザノイズ除去動作が行われることを特徴とする請求項１または２記載のレーザノイズ除去回路。
【請求項４】
レーザ光源から出射されたレーザ光を光ディスクに照射することにより前記光ディスクからデータを読み出す光ディスク装置であって、
前記レーザ光源から出射されたレーザ光の光ディスクからの反射光を光電変換する第１の光電変換手段と、
前記レーザ光源から出射されたレーザ光の一部を光電変換する第２の光電変換手段と、
前記第２の光電変換手段から得られた第２の光電変換信号の直流成分を抽出するローパスフィルタ手段と、
前記第２の光電変換手段から得られた第２の光電変換信号の高域成分を抽出するハイパスフィルタ手段と、
前記ローパスフィルタ手段により抽出された直流成分を常に第１の所定レベルにする第１の自動利得制御手段と、
前記ハイパスフィルタ手段により抽出された高域成分を常に第２の所定レベルにする第２の自動利得制御手段と、
前記第１の光電変換手段から得られた第１の光電変換信号に前記第１の所定レベルにされた直流成分を乗算する第１の乗算手段と、
前記第１の光電変換手段から得られた第１の光電変換信号に前記第２の所定レベルにされた高域成分を乗算する第２の乗算手段と、
前記第１の乗算手段の乗算結果から前記第２の乗算手段の乗算結果を減算する減算手段と、
を具備することを特徴とする光ディスク装置。
【請求項５】
レーザ光源から出射されたレーザ光を光ディスクに照射することにより前記光ディスクからデータを読み出す光ディスク装置であって、
前記レーザ光源から出射されたレーザ光の光ディスクからの反射光を光電変換する第１の光電変換手段と、
前記レーザ光源から出射されたレーザ光の一部を光電変換する第２の光電変換手段と、
前記第２の光電変換手段から得られた第２の光電変換信号を常に所定レベルにする自動利得制御手段と、
前記所定レベルされた光電変換信号の直流成分を抽出するローパスフィルタ手段と、
前記所定レベルされた光電変換信号の高域成分を抽出するハイパスフィルタ手段と、
前記第１の光電変換手段から得られた第１の光電変換信号に前記抽出された直流成分を乗算する第１の乗算手段と、
前記第１の光電変換手段から得られた第１の光電変換信号に前記抽出された高域成分を乗算する第２の乗算手段と、
前記第１の乗算手段の乗算結果から前記第２の乗算手段の乗算結果を減算する減算手段と、
を具備することを特徴とする光ディスク装置。
【請求項６】
レーザ光源から出射されたレーザ光を光ディスクに照射することにより前記光ディスクからデータを読み出す光ディスク装置であって、
前記レーザ光源から出射されたレーザ光の光ディスクからの反射光を光電変換して複数信号を生成する第１の光電変換手段と、
前記レーザ光源から出射されたレーザ光の一部を光電変換して単一の信号を生成する第２の光電変換手段と、
前記第１の光電変換手段から得られる複数信号の一部又は全部を用いて演算した結果信号に前記第２の光電変換手段から得られる単一の信号から抽出される直流成分及び高域成分をそれぞれ乗算することにより前記演算結果信号からレーザノイズを低減する乗算方式レーザノイズ除去手段と、
前記複数信号の各信号から前記単一の信号をそれぞれ減算することにより前記各信号からレーザノイズを低減する減算方式レーザノイズ除去手段と、
を具備することを特徴とする光ディスク装置。
【請求項７】
レーザ光源から出射されたレーザ光を光ディスクに照射することにより前記光ディスクからデータを読み出す光ディスク装置であって、
前記レーザ光源から出射されたレーザ光の光ディスクからの反射光を光電変換して複数信号を生成する第１の光電変換手段と、
前記レーザ光源から出射されたレーザ光の一部を光電変換して単一の信号を生成する第２の光電変換手段と、
前記第１の光電変換手段から得られる複数信号の一部に前記第２の光電変換手段から得られる単一の信号から抽出される直流成分及び高域成分をそれぞれ乗算することにより前記演算結果信号からレーザノイズを低減する乗算方式レーザノイズ除去手段と、
前記複数信号の残りの信号の各信号から前記単一の信号をそれぞれ減算することにより前記各信号からレーザノイズを低減する減算方式レーザノイズ除去手段と、
を具備することを特徴とする光ディスク装置。
【請求項８】
前記第１の光電変換手段は、前記レーザ光の光ディスクからの反射光を光電変換してサーボエラー信号検出に必要な4分割信号即ち、Ａ，Ｂ，Ｃ，Ｄ信号を生成することを特徴とする請求項６記載の光ディスク装置。
【請求項９】
前記乗算方式レーザノイズ除去手段は、前記単一の信号の直流成分を抽出するローパスフィルタ手段と、
前記単一の信号の高域成分を抽出するハイパスフィルタ手段と、
前記ローパスフィルタ手段により抽出された直流成分を常に第１の所定レベルにする第１の自動利得制御手段と、
前記ハイパスフィルタ手段により抽出された高域成分を常に第２の所定レベルにする第１の自動利得制御手段と、
前記演算結果信号に前記利得を第１の所定レベルにされた直流成分を乗算する第１の乗算手段と、
前記演算結果信号に前記利得を第２の所定レベルにされた高域成分を乗算する第２の乗算手段と、
前記第１の乗算手段の乗算結果から前記第２の乗算手段の乗算結果を減算する減算手段と、
を具備することを特徴とする請求項６記載の光ディスク装置。
【請求項１０】
前記乗算方式レーザノイズ除去手段は、前記単一の信号の直流成分を抽出するローパスフィルタ手段と、
前記単一の信号の高域成分を抽出するハイパスフィルタ手段と、
前記ローパスフィルタ手段により抽出された直流成分を常に第１の所定レベルにする第１の自動利得制御手段と、
前記ハイパスフィルタ手段により抽出された高域成分を常に第２の所定レベルにする第１の自動利得制御手段と、
前記複数信号の一部に前記利得を第１の所定レベルにされた直流成分を乗算する第１の乗算手段と、
前記複数信号の一部に前記利得を第２の所定レベルにされた高域成分を乗算する第２の乗算手段と、
前記第１の乗算手段の乗算結果から前記第２の乗算手段の乗算結果を減算する減算手段と、
を具備することを特徴とする請求項７記載の光ディスク装置。
【発明の詳細な説明】
【技術分野】
【０００１】
本発明は、光ディスクからデータを読み出す光ディスク装置に係り、特にレーザノイズを低減するレーザノイズ除去回路に関する。
【背景技術】
【０００２】
光ディスク装置は、半導体レーザから射出されたレーザにより光ディスク面を照射してデータの読み書きを行うが、光ディスクからの戻り光（反射光）や温度変化によってレーザノイズが増大すると、再生信号に悪影響を及ぼすことになる。そこで、このレーザノイズを低減する方法として、前記反射光を光電変換して得た再生信号（ＲＦ信号）からＡＰＣ（Automatic Power Control）用のモニタ出力信号（ＦＰＤ信号）を減算してレーザノイズ成分を相殺するレーザノイズキャンセル（ＬＮＣ）方法が公知になっている。
【０００３】
レーザノイズキャンセル（ＬＮＣ）方法については既に数々の方式が提案されているが、特に乗算方式についてはディスクの記録信号により変調されたレーザノイズ成分も相殺できることから非常に有効な方法の一つである。
【０００４】
図４は従来の乗算方式を用いてレーザノイズをキャンセルするレーザノイズ除去回路の構成例を示したブロック図である（例えば特許文献１参照）。ＲＦ信号は増幅器（アンプ）１１により増幅され乗算器４１と乗算器４２に直接入力される。同時にＦＰＤ信号は増幅器１２により増幅され、更にローパスフィルタ（ＬＰＦ）２１を介して乗算器４１に入力されると共に、ハイパスフィルタ（ＨＰＦ）２２を介して乗算器４２に入力される。
【０００５】
乗算器４１はＲＦ信号にＦＰＤ信号の直流（ＤＣ）成分を乗算し、その結果を加算器５１に出力し、乗算器４２はＲＦ信号にＦＰＤ信号の高域成分（レーザノイズ成分）を乗算し、その結果を加算器５１に出力する。加算器５１は乗算器４１の乗算結果と乗算器４２の乗算結果の反転信号を加算し、即ち、乗算器４１の乗算結果から乗算器４２の乗算結果を減算し、減算結果即ち、レーザノイズが低減されたＲＦ信号を出力する。
【０００６】
このレーザノイズが低減されたＲＦ信号は、ｋ×Ａ×Ｐ2 ×（ｒｍ＋ｒｓ）／２＋ｋ×Ａ×Ｐ2 ×｜ｒｍ−ｒｓ｜／２×ｓ（ｔ）…（１）と近似…される。但し、ｋは増幅器１１の出力におけるＲＦ信号の比例定数、Ａは増幅器１２の出力におけるＦＰＤ信号の比例定数、Ｐはレーザ出力光のＤＣ成分、ｒｍ，ｒｓはそれぞれ光ディスクに記録された信号のマーク及びスペースの反射率、ｓ（ｔ）はディスク上の信号成分である。
【特許文献１】特開２００２−１８３９７０号公報
【発明の開示】
【発明が解決しようとする課題】
【０００７】
上記（１）式により、出力されるノイズが低減されたＲＦ信号のレベルは、ＲＦ信号検出用のメイン光検出器とＦＰＤ信号検出用のフロント光検出器で受光する信号のレベルと、増輻器１１及び１２の増幅率により定まる比例定数ｋとＡとにより決定されることが分かる。したがって、上記ノイズが低減されたＲＦ信号のレベルはＲＦ信号検出用のメイン光検出器で受光する信号レベルとＲＦ信号経路の利得のみによって決めることができず、ＦＰＤ信号検出用のフロント光検出器で受光する信号レベルとＦＰＤ信号経路の利得の影響を受けてしまう。このため、ＲＦ信号を構成するメインの各分割光検出器より得られる信号を用いてサーボ信号を生成する際にＲＦ信号の振幅レベルが重要な要素になるにも拘らず、上記のようにＦＰＤ信号経路の利得の影響でＲＦ信号の振幅レベルが変化してしまうと、正しいサーボ信号を得ることができなくなり、光ピックアップのサーボ動作を正しく行うことができなくなる。
【０００８】
また、上記の乗算方式は光ディスクの記録信号により変調されたノイズ成分も相殺できることから非常に有効である一方、回路構成が複雑である。しかも、レーザ光の反射光であるＲＦ信号は通常複数の信号で、更にこれら信号の演算結果信号が加わるため、これらを全ての信号に乗算方式レーザノイズ除去回路を適用すると、レーザノイズ除去回路の回路規模が大きくなってしまうという問題がある。
【０００９】
本発明は前記事情に鑑み案出されたものであって、本発明の目的は、レーザノイズを除去した後のＲＦ信号から正しいサーボ信号を生成することができる乗算方式のレーザノイズ除去回路及びこのレーザノイズ除去回路を搭載し且つ、その回路規模の増大を抑制することができる光ディスク装置を提供することにある。
【課題を解決するための手段】
【００１０】
本発明は上記目的を達成するため、レーザ光源から出射されたレーザ光の光ディスクからの反射光を光電変換した信号からレーザノイズを除去するレーザノイズ除去回路であって、前記レーザ光源から出射されたレーザ光の一部を光電変換した信号の直流成分を抽出するローパスフィルタ手段と、前記レーザ光源から出射されたレーザ光の一部を光電変換した信号の高域成分を抽出するハイパスフィルタ手段と、前記ローパスフィルタ手段により抽出された直流成分を常に第１の所定レベルにする第１の自動利得制御手段と、前記ハイパスフィルタ手段により抽出された高域成分を常に第２の所定レベルにする第２の自動利得制御手段と、前記レーザ光の光ディスクからの反射光を光電変換した信号に前記第１の所定レベルにされた直流成分を乗算する第１の乗算手段と、前記レーザ光の光ディスクからの反射光を光電変換した信号に前記第２の所定レベルにされた高域成分を乗算する第２の乗算手段と、前記第１の乗算手段の乗算結果から前記第２の乗算手段の乗算結果を減算する減算手段とを具備することを特徴とする。
【００１１】
また、本発明は、前記レーザ光源から出射されたレーザ光の光ディスクからの反射光を光電変換した信号からレーザノイズを除去するレーザノイズ除去回路であって、前記レーザ光源から出射されたレーザ光の一部を光電変換した信号を常に所定レベルにする自動利得制御手段と、前記所定レベルされた光電変換信号の直流成分を抽出するローパスフィルタ手段と、前記所定レベルされた光電変換信号の高域成分を抽出するハイパスフィルタ手段と、前記レーザ光の光ディスクからの反射光を光電変換した信号に前記抽出された直流成分を乗算する第１の乗算手段と、前記レーザ光の光ディスクからの反射光を光電変換した信号に前記抽出された高域成分を乗算する第２の乗算手段と、前記第１の乗算手段の乗算結果から前記第２の乗算手段の乗算結果を減算する減算手段とを具備することを特徴とする。
【００１２】
このように本発明のレーザノイズ除去回路では、レーザ光源から出射されたレーザ光の光ディスクからの反射光を光電変換した信号（ＲＦ信号）に対して、前記レーザ光源から出射されたレーザ光の一部を光電変換した信号（ＦＰＤ信号）のＤＣ成分及び高域成分をそれぞれ乗算する際に、ＤＣ成分及び高域成分を自動利得制御するか或いは、ＤＣ成分と高域成分を抽出する前のＦＰＤ信号の利得を自動利得制御して常に所定の値にしているため、前者の乗算結果と後者の乗算結果の減算値であるＲＦ信号の大きさがＦＰＤ信号による影響を受けることがなくなり、前記反射光の強弱をＲＦ信号にそのまま反映させることができ、それ故、このＲＦ信号から正しいサーボ信号を生成することができる。なお、通常、レーザ光の光ディスクからの反射光を光電変換した信号は複数個（例えばＡ，Ｂ，Ｃ，Ｄ信号）あり、更にこれら信号を用いた演算結果信号があるが、この場合、前記反射光を光電変換した信号は複数個の信号及び演算結果信号のいずれかを代表して表した信号で、複数の信号及び演算結果信号各々に対して上記構成のレーザノイズ除去が行われる。
【００１３】
また、本発明は、レーザ光源から出射されたレーザ光を光ディスクに照射することにより前記光ディスクからデータを読み出す光ディスク装置であって、前記レーザ光源から出射されたレーザ光の光ディスクからの反射光を光電変換する第１の光電変換手段と、前記レーザ光源から出射されたレーザ光の一部を光電変換する第２の光電変換手段と、前記第２の光電変換手段から得られた第２の光電変換信号の直流成分を抽出するローパスフィルタ手段と、前記第２の光電変換手段から得られた第２の光電変換信号の高域成分を抽出するハイパスフィルタ手段と、前記ローパスフィルタ手段により抽出された直流成分を常に第１の所定レベルにする第１の自動利得制御手段と、前記ハイパスフィルタ手段により抽出された高域成分を常に第２の所定レベルにする第２の自動利得制御手段と、前記第１の光電変換手段から得られた第１の光電変換信号に前記第１の所定レベルにされた直流成分を乗算する第１の乗算手段と、前記第１の光電変換手段から得られた第１の光電変換信号に前記第２の所定レベルにされた高域成分を乗算する第２の乗算手段と、前記第１の乗算手段の乗算結果から前記第２の乗算手段の乗算結果を減算する減算手段とを具備することを特徴とする。
【００１４】
また、本発明は、レーザ光源から出射されたレーザ光を光ディスクに照射することにより前記光ディスクからデータを読み出す光ディスク装置であって、前記レーザ光源から出射されたレーザ光の光ディスクからの反射光を光電変換する第１の光電変換手段と、前記レーザ光源から出射されたレーザ光の一部を光電変換する第２の光電変換手段と、前記第２の光電変換手段から得られた第２の光電変換信号を常に所定レベルにする自動利得制御手段と、前記所定レベルされた光電変換信号の直流成分を抽出するローパスフィルタ手段と、前記所定レベルされた光電変換信号の高域成分を抽出するハイパスフィルタ手段と、前記第１の光電変換手段から得られた第１の光電変換信号に前記抽出された直流成分を乗算する第１の乗算手段と、前記第１の光電変換手段から得られた第１の光電変換信号に前記抽出された高域成分を乗算する第２の乗算手段と、前記第１の乗算手段の乗算結果から前記第２の乗算手段の乗算結果を減算する減算手段とを具備することを特徴とする。
【００１５】
このように本発明の光ディスク装置では、レーザ光源から出射されたレーザ光の光ディスクからの反射光を光電変換した信号（ＲＦ信号）に対して、前記レーザ光源から出射されたレーザ光の一部を光電変換した信号（ＦＰＤ信号）のＤＣ成分及び高域成分をそれぞれ乗算する際に、ＤＣ成分及び高域成分を自動利得制御するか或いは、ＤＣ成分と高域成分を抽出する前のＦＰＤ信号の利得を自動利得制御して常に所定の値にしているため、前者の乗算結果と後者の乗算結果の減算値であるＲＦ信号の大きさがＦＰＤ信号による影響を受けることがなくなり、前記反射光の強弱をＲＦ信号にそのまま反映させることができる。それ故、このＲＦ信号から正しいサーボ信号を生成することができ、第１、第２の光電変換手段、第１、第２の乗算手段及び減算手段などが内蔵される光ピックアップのトラッキング及びフォーカス制御を安定且つ精度良く行うことができる。
【００１６】
また、本発明は、レーザ光源から出射されたレーザ光を光ディスクに照射することにより前記光ディスクからデータを読み出す光ディスク装置であって、前記レーザ光源から出射されたレーザ光の光ディスクからの反射光を光電変換して複数信号を生成する第１の光電変換手段と、前記レーザ光源から出射されたレーザ光の一部を光電変換して単一の信号を生成する第２の光電変換手段と、前記第１の光電変換手段から得られる複数信号の一部又は全部を用いて演算した結果信号に前記第２の光電変換手段から得られる単一の信号から抽出される直流成分及び高域成分をそれぞれ乗算することにより前記演算結果信号からレーザノイズを低減する乗算方式レーザノイズ除去手段と、前記複数信号の各信号から前記単一の信号をそれぞれ減算することにより前記各信号からレーザノイズを低減する減算方式レーザノイズ除去手段とを具備することを特徴とする。
【００１７】
また、本発明は、レーザ光源から出射されたレーザ光を光ディスクに照射することにより前記光ディスクからデータを読み出す光ディスク装置であって、前記レーザ光源から出射されたレーザ光の光ディスクからの反射光を光電変換して複数信号を生成する第１の光電変換手段と、前記レーザ光源から出射されたレーザ光の一部を光電変換して単一の信号を生成する第２の光電変換手段と、前記第１の光電変換手段から得られる複数信号の一部に前記第２の光電変換手段から得られる単一の信号から抽出される直流成分及び高域成分をそれぞれ乗算することにより前記演算結果信号からレーザノイズを低減する乗算方式レーザノイズ除去手段と、前記複数信号の残りの信号の各信号から前記単一の信号をそれぞれ減算することにより前記各信号からレーザノイズを低減する減算方式レーザノイズ除去手段とを具備することを特徴とする。
【００１８】
このように本発明の光ディスク装置では、レーザ光源から出射されたレーザ光の光ディスクからの反射光を光電変換して得られる複数の信号（ＲＦ信号）及びこれら複数の信号の演算結果信号全てに対して回路規模が大きい乗算方式のレーザノイズ除去手段を用いるのではなく、一部の信号に対しては回路規模が小さい減算方式レーザノイズ除去手段を用いることにより、レーザノイズ除去回路の回路規模を小さくすることができる。
【発明の効果】
【００１９】
本発明によれば、レーザ光源から出射されたレーザ光の光ディスクからの反射光を光電変換した信号（ＲＦ信号）に対して、レーザ光源から出射されたレーザ光の一部を光電変換した信号（ＦＰＤ信号）のＤＣ成分及び高域成分をそれぞれ乗算する際に、ＤＣ成分及び高域成分を自動利得制御するか或いは、ＤＣ成分と高域成分を抽出する前のＦＰＤ信号を自動利得制御して常に所定の値にしているため、前者の乗算結果と後者の乗算結果の減算値であるＲＦ信号の大きさをＦＰＤ信号によって変化されないようにすることにより、前記反射光の強弱がＲＦ信号にそのまま反映させることができ、それ故、レーザノイズを除去した後のＲＦ信号から正しいサーボ信号を生成することができる。
また、レーザ光源から出射されたレーザ光の光ディスクからの反射光を光電変換して得られる複数の信号（ＲＦ信号）及びこれら複数の信号の演算結果信号全てに対して回路規模が大きい乗算方式のレーザノイズ除去手段を用いるのではなく、一部の信号に対しては回路規模が小さい減算方式レーザノイズ除去手段を用いることにより、光ディスク装置に搭載されるレーザノイズ除去回路の回路規模の増大を抑制することができる。
【発明を実施するための最良の形態】
【００２０】
乗算方式レーザノイズ除去回路において、レーザノイズを除去した後のＲＦ信号から正しいサーボ信号を生成する目的を、レーザ光の光ディスクからの反射光を光電変換した信号（ＲＦ信号）に対して、レーザ光源から出射されたレーザ光の一部を光電変換した信号（ＦＰＤ信号）のＤＣ成分及び高域成分をそれぞれ乗算する際に、ＤＣ成分及び高域成分を自動利得制御手段で常に所定の値にして、前者と後者の乗算結果の減算値であるＲＦ信号の大きさをＦＰＤ信号によって変化されないようにすることによって実現した。
また、光ディスク装置に搭載されるレーザノイズ除去回路の回路規模の増大を抑制する目的を、レーザ光の光ディスクからの反射光を光電変換して得られる複数の信号（ＲＦ信号）及びこれら複数の信号の演算結果信号全てに対して回路規模が大きい乗算方式のレーザノイズ除去手段を用いるのではなく、一部の信号に対しては回路規模が小さい減算方式レーザノイズ除去手段を用いることによって実現した。
【実施例１】
【００２１】
図１は、本発明の第１の実施の形態に係るレーザノイズ除去回路の構成を示したブロック図である。但し、従来と同様の部分には同一符号を付して説明する。レーザノイズ除去回路６０は、ＲＦ信号を増幅する増幅器（アンプ）１１、ＦＰＤ信号を増幅する増幅器１２、ＦＰＤ信号からＤＣ成分を抽出するローパスフィルタ（ＬＰＦ）２１、ＦＰＤ信号からレーザノイズ成分を抽出するハイパスフィルタ（ＨＰＦ）２２、ローパスフィルタ２１から出力されるＤＣ成分のレベルを常に一定にする自動利得制御回路（ＡＧＣ）３１、ハイパスフィルタ２２から出力されるノイズ成分のレベルを常に一定にする自動利得制御回路（ＡＧＣ）３２、ＲＦ信号にＦＰＤ信号のＤＣ成分を乗算する乗算器４１、ＲＦ信号にＦＰＤ信号に含まれるノイズ成分を乗算する乗算器４２、乗算器４１の乗算結果と乗算器４２の乗算結果の反転信号を加算する加算器（減算器として機能）５１を有して構成される。但し、特許請求の範囲のローパスフィルタ手段はローパスフィルタ２１に相当し、ハイパスフィルタ手段はハイパスフィルタ２２に相当し、第１、第２の自動利得制御手段は自動利得制御回路３１、３２に相当し、第１、第２の乗算手段は乗算器４１、４２に相当し、減算手段は加算器５１に相当する。
【００２２】
次に本実施の形態の動作について説明する。図示されない光ディスクからの反射レーザ光を光電変換して得たＲＦ信号は増幅器１１により増幅され、乗算器４１と乗算器４２に直接入力される。同時に前記光ディスクに照射されるレーザ光の一部を光電変換して得たＦＰＤ信号は増幅器１２により増幅され、更にローパスフィルタ（ＬＰＦ）２１及び自動利得制御回路３１を介して乗算器４１に入力されると共に、ハイパスフィルタ（ＨＰＦ）２２及び自動利得制御回路３２を介して乗算器４２に入力される。
【００２３】
乗算器４１にはＲＦ信号と、自動利得制御回路３１により出力信号レベルが常に一定に保たれたＦＰＤ信号のＤＣ成分とが入力されて乗算される。その乗算結果は従来と同様にレーザノイズ成分を含むＲＦ信号となって、加算器５１に入力される。乗算器４２にはＲＦ信号と、ＦＰＤ信号から抽出され自動利得制御回路３２により出力信号レベルが常に一定に保たれたレーザノイズ成分が入力されて乗算される。その乗算結果は従来と同様に記録信号により変調を受けたＲＦ信号とレーザより出射される光に含まれるレーザノイズ成分とを掛け合わせた記録信号で変調されたレーザノイズ信号となって、加算器５１に入力される。
【００２４】
これにより、加算器５１では、レーザノイズ成分を含んだＲＦ信号から、記録信号により変調を受けたＲＦ信号とレーザより出射される光に含まれるレーザノイズ成分とを掛け合わせた記録信号で変調されたレーザノイズ信号が減算され、記録信号により変調を受けたレーザノイズが相殺されたＲＦ信号が出力される。
【００２５】
この出力されるＲＦ信号は、ｋ×Ｇ×Ｐ2 ×（ｒｍ＋ｒｓ）／２＋ｋ×Ｇ×Ｐ2 ×｜ｒｍ−ｒｓ｜／２×ｓ（ｔ）…（２）と表すことができる。但し、式（２）中、ＧはＡＧＣの出力レベルで、他の記号は従来例の（１）式と同様の定義である。この式（２）から、Ｇを任意の一定の値に設定できるため、ＲＦ信号の出力レベルはＲＦ信号の利得ｋ、即ち増幅器１１の利得にのみ依存し、ＦＰＤ信号の影響を受けない。即ち、加算器５１から出力されるＲＦ信号は光ディスクからの反射レーザ光線を光電変換して得たＲＦ信号のレベルの変化のみを反映しているということになる。
【００２６】
本実施の形態によれば、乗算方式によりレーザノイズを除去しているため、光ディスクの記録信号により変調されたレーザノイズ成分も低減でき、しかも、加算器５１から出力されるノイズが低減されたＲＦ信号は光ディスクからの反射レーザ光線を光電変換して得たＲＦ信号のレベルの変化のみを反映しているため、このＲＦ信号から精度の高いサーボ信号を生成することができ、光ピックアップのトラッキング制御やフォーカス制御を安定且つ正確に行うことができる。特に、ＤＰＤ（Differential Phase Detection）法を用いたトラッキング方式ではエッジの位置を検出するが故にノイズに敏感であるため、上記したノイズの少ないＲＦ信号からＤＰＤ法のトラッキング制御に用いるトラッキングエラー信号を生成すれば、精度の高いトラッキング制御を行うことができる。
【００２７】
また、レーザノイズ及び変調ノイズが低減されたＲＦ信号からはＳ／Ｎ比が高い高品質の読み出し信号が得られる。
【００２８】
なお、通常、レーザ光の光ディスクからの反射光を光電変換した信号は複数個（例えばフォーカスエラー検出に非点収差法を用いる場合、４つに分割したＡ，Ｂ，Ｃ，Ｄ信号が用いられる）と、更にこれら信号を用いた演算結果信号があるが、上記の実施の形態のＲＦ信号は複数個の信号及び演算結果信号のいずれかひとつを代表して表した信号で、複数の信号及び演算結果信号各々に対して上記構成のレーザノイズ除去が行われるものとする。
【実施例２】
【００２９】
図２は、本発明の第２の実施の形態に係るレーザノイズ除去回路の構成を示したブロック図である。但し、従来と同様の部分には同一符号を付して説明する。本実施の形態のレーザノイズ除去回路６８は、増幅器１２から出力されたＦＰＤ信号の振幅レベルを自動利得制御回路３０により常に一定レベルにしてから、ローパスフィルタ２１を通してＤＣ成分を乗算器４１に入力すると共に、ハイパスフィルタ２２を通してレーザノイズ成分と変調ノイズ成分からなるノイズ成分を乗算器４２に入力している構成が図１に示した第１の実施の形態と異なるところであり、他の構成は第１の実施の形態と同様である。但し、特許請求の範囲の自動利得制御手段は自動利得制御回路３０に相当する。
【００３０】
本実施の形態でも、ＲＦ信号の振幅レベルは増幅器１１の出力レベルのみで決まるため、ＦＰＤ信号系の影響を受けないことになり、第１の実施の形態と同様の効果がある。
【実施例３】
【００３１】
図３は、本発明の第３の実施の形態に係る光ディスク装置の要部の構成を示したブロック図で、乗算方式と減算方式の２種類のレーザノイズ除去回路を搭載した構成を有している。但し、従来例と同様の部分には同一符号を付して構成する。
【００３２】
光ディスク装置８０は、図示されない光ディスクからの反射レーザ光を光電変換して４分割信号Ａ，Ｂ，Ｃ，Ｄを生成する光電変換部２、前記光ディスクに照射されるレーザ光の一部を光電変換してＦＰＤ信号を生成する光電変換部４、Ａ，Ｂ，Ｃ，Ｄ信号を加算する加算器１３、Ａ，Ｂ，Ｃ，Ｄ信号それぞれを増幅する増幅器１１ａ，１１ｂ，１１ｃ，１１ｄ、ＦＰＤ信号を増幅する増幅器１２、加算器１３から出力される信号から乗算方式でノイズを除去する乗算方式レーザノイズ除去回路６１、増幅器１１ａ〜１１ｄから出力される信号から増幅器１２により増幅されたＦＰＤ信号を減算することによりノイズを除去する減算方式レーザノイズ除去回路６２〜６５を有している。但し、特許請求の範囲の第１、第２の光電変換手段は光電変換部２、４に相当する。
【００３３】
次に本実施の形態の動作について説明する。図示されない光ディスクからの反射レーザ光を光電変換部２により光電変換して４分割信号Ａ，Ｂ，Ｃ，Ｄが生成され、これらＡ，Ｂ，Ｃ，Ｄ信号は、それぞれ増幅器１１ａ〜１１ｄにより増幅された後、減算方式レーザノイズ除去回路６２〜６５に入力される。同時に、これら４分割信号Ａ，Ｂ，Ｃ，Ｄは加算器１３で加算され、Ａ＋Ｂ＋Ｃ＋Ｄ信号が乗算方式レーザノイズ除去回路６１に入力される。また、光電変換部４により生成されたＦＰＤ信号が増幅器１２により増幅された後、乗算方式レーザノイズ除去回路６１、減算方式レーザノイズ除去回路６２〜６５に入力される。
【００３４】
乗算方式レーザノイズ除去回路６１は上記した第１または第２の実施の形態と同一の構成で、同様の動作を行うことにより、乗算方式レーザノイズ除去回路６１から出力されるＡ＋Ｂ＋Ｃ＋Ｄ信号即ち、ＲＦ信号は記録信号により変調を受けたレーザノイズが低減され且つ、その振幅レベルがＦＰＤ信号により変化しないものとなる。また、減算方式レーザノイズ除去回路６２は、増幅器１１ａから入力される信号Ａから増幅器１２から入力されるＦＰＤ信号を減算することにより、信号Ａに含まれるレーザノイズをＦＰＤ信号に含まれる同相のレーザノイズでキャンセルして信号Ａのレーザノイズを低減し、これをサーボ用信号Ａとして出力する。減算方式レーザノイズ除去回路６３，６４，６５も同様で、信号Ｂ，Ｃ，Ｄのレーザノイズを減算により低減し、サーボ用信号Ｂ，Ｃ，Ｄとして出力する。
【００３５】
本実施の形態によれば、ＲＦ信号については乗算方式レーザノイズ除去回路６１によりレーザノイズを除去するため記録信号により変調されたレーザノイズも低減され、Ｓ／Ｎの良い高品質の読み出し信号が得られる。また、サーボ用信号はＲＦ信号ほどのＳ／Ｎは求められていないため、減算方式レーザノイズ除去回路６２，６３，６４，６５によるノイズ除去で十分であり、何等支障のないトラッキング及びフォーカス制御を行うことができる。しかも、乗算方式レーザノイズ除去回路６１よりも減算方式レーザノイズ除去回路６２，６３，６４，６５は回路規模が小さいため、結局、光ディスク装置８０に搭載されるレーザノイズ除去回路の回路規模を小さくすることができる。
【００３６】
尚、本発明は上記実施の形態に限定されることなく、その要旨を逸脱しない範囲において、具体的な構成、機能、作用、効果において、他の種々の形態によっても実施することができる。例えば、図３に示した第３の実施の形態において、Ａ＋Ｂ＋Ｃ＋Ｄ信号に乗算方式レーザノイズ除去回路を用い、各Ａ，Ｂ，Ｃ，Ｄ信号に減算方式レーザノイズ除去回路を用いたが、この組み合わせに限らず、乗算方式と減算方式のレーザノイズ除去回路を、各信号及び各信号の一部または全部を用いて演算した信号に対して適宜用いることにより、複数の組み合わせがあり、いずれの組み合わせも全て乗算方式レーザノイズ除去回路を用いた場合よりも回路規模を小さくすることができる。
【図面の簡単な説明】
【００３７】
【図１】本発明の第１の実施の形態に係るレーザノイズ除去回路の構成を示したブロック図である。
【図２】本発明の第２の実施の形態に係るレーザノイズ除去回路の構成を示したブロック図である。
【図３】本発明の第３の実施の形態に係る光ディスク装置の要部の構成を示したブロック図である。
【図４】従来の乗算方式を用いてレーザノイズをキャンセルするレーザノイズ除去装置の構成例を示したブロック図である。
【符号の説明】
【００３８】
２、４……光電変換部、１１、１１ａ〜１１ｄ、１２……増幅器（アンプ）、１３、５１……加算器、２１……ローパスフィルタ（ＬＰＦ）、２２……ハイパスフィルタ（ＨＰＦ）、３０、３１、３２……自動利得制御回路（ＡＧＣ）、４１、４２……乗算器、６０、６８……レーザノイズ除去回路、６１……乗算方式レーザノイズ除去回路、６２〜６５……減算方式レーザノイズ除去回路、８０……光ディスク装置。
【図１】
2005196870.tif 000003
【図２】
2005196870.tif 000004
【図３】
2005196870.tif 000005
【図４】
2005196870.tif 000006